(57)【要約】    【課題】  簡単な構成で、ロック機能を損なうことなく、操作性の優れた、使い易いカメラを提供することを目的とする。    【解決手段】  回転操作される回転操作ダイアル７と、この回転操作ダイアル７を所定位置にロックするロックアーム５と、これら回転操作ダイアル７およびロックアーム５が装着される本体ケース２とを備えたカメラにおいて、回転操作ダイアル７の回転操作部７１と、ロックアーム５の釦操作部５１とを、本体ケース２の相隣り合う面に近接して配設し、本体ケース２内に位置する回転操作ダイアル７の下面リブ７２の所定位置に形成したロック溝７３と、ロックアーム５の嵌合部５３が嵌合するように配置するとともに、ロックアーム５を、本体ケース２内側から、本体ケース２外側方向に付勢する付勢手段９を設ける。【選択図】図２
2005345657.tif 000002
【特許請求の範囲】
【請求項１】
回転操作される回転操作ダイアルと、この回転操作ダイアルを所定位置にロックするロックアームと、これら回転操作ダイアルおよびロックアームが装着される本体ケースとを備えたカメラにおいて、
前記回転操作ダイアルの回転操作部と、前記ロックアームの釦操作部とを、前記本体ケースの相隣り合う面に近接して配設し、前記本体ケース内に位置する前記回転操作ダイアルの下面リブの所定位置に形成したロック溝と、前記ロックアームの嵌合部が嵌合するように配置するとともに、前記ロックアームを、前記本体ケース内側から、本体ケース外側方向に付勢する付勢手段を設けたことを特徴とするカメラ。
【請求項２】
回転操作される回転操作ダイアルと、この回転操作ダイアルを所定位置にロックするロックアームと、これら回転操作ダイアルおよびロックアームが装着される本体ケースとを備えたカメラにおいて、
前記回転操作ダイアルの回転操作部と、前記ロックアームの釦操作部とを、前記本体ケースの相隣り合う面に近接して配設したことを特徴とするカメラ。
【請求項３】
前記回転操作ダイアルの回転操作部を、前記本体ケースの上面側に、前記ロックアームの釦操作部を前記本体ケースの背面側に、近接して配設したことを特徴とする請求項１または請求項２に記載のカメラ。
【請求項４】
前記付勢手段が、板バネであることを特徴とする請求項１に記載のカメラ。
【請求項５】
前記本体ケースの内側の前記ロックアームが貫通する貫通孔の両側に、Ｌ字状の保持部を形成し、この保持部により前記付勢手段を保持するようにしたことを特徴とする請求項１乃至請求項４のいずれかに記載のカメラ。
【請求項６】
前記付勢手段が、コイルバネであることを特徴とする請求項１に記載のカメラ。
【請求項７】
前記ロックアームを、前記釦操作部と、その外周部に前記付勢手段を配設する溝部とを有し、前記本体ケースの外側から挿入される第１部材と、この第１部材と一体的に固着されるとともに、前記下面リブに形成したロック溝に嵌合する嵌合部を有する第２部材とからなることを特徴とする請求項１または請求項６のいずれかに記載のカメラ。
【請求項８】
前記第１部材の下面に突起を、前記第２部材に前記突起が嵌合する孔を形成し、この孔に前記突起を勘合し、これら第１部材と第２部材とを一体的に固着したことを特徴とする請求項７に記載のカメラ。
【発明の詳細な説明】
【技術分野】
【０００１】
本発明は、例えばモード設定ダイアルなど回転操作される回転操作ダイアルを、回転方向の所定の位置にロックするロック機能を備えたカメラに関し、特にその操作性の向上を図ったものである。
【背景技術】
【０００２】
周知の通り、カメラにおいては、回転操作ダイアル、例えばモード設定ダイアル、シャッタスピード設定ダイアル、露出補正値設定ダイアルなどを用い、複数の設定情報の選択を同一箇所で操作できるように構成している。このような、回転操作ダイアルが、偶発的な力により回転し、撮影モードが切り替わると、意図しない結果を招来し、酷い場合には、故障の原因となることがある。
【０００３】
上述のような点を考慮して、従来では、回転操作ダイアルと同一平面上に隣接して、押し釦を設け、この押し釦でロックレバーを押し下げ、回転操作ダイアルの下面に形成した溝に嵌合したロックレバーを解除するようにしたものがある(例えば、特許文献1参照）。
【特許文献１】特開２００３−７５８９８号公報
【発明の開示】
【発明が解決しようとする課題】
【０００４】
、
しかし、前述の特許文献１記載の構成では、同一平面上に回転操作ダイアルと、ロックレバーを解除する押し釦とが隣接して設けられており、回転操作ダイアルを操作する際、同一平面上で、しかも押し釦を押しながら、回転操作ダイアルを操作する必要があり、その操作は、必然的に両手操作となり、操作性が悪い。特に、小型のデジタルカメラなどでは、カメラ本体の保持が困難となり、同一平面上における両手操作は、極めて不便である、などといった問題があった。
【０００５】
本発明は、上述した問題を解決するためになされたものであり、簡単な構成で、ロック機能を損なうことなく、操作性の優れた、使い易いカメラを提供することを目的とする。
【課題を解決するための手段】
【０００６】
かかる目的を達成するため、請求項１記載の発明では、回転操作される回転操作ダイアルと、この回転操作ダイアルを所定位置にロックするロックアームと、これら回転操作ダイアルおよびロックアームが装着される本体ケースとを備えたカメラにおいて、回転操作ダイアルの回転操作部と、ロックアームの釦操作部とを、本体ケースの相隣り合う面に近接して配設し、本体ケース内に位置する回転操作ダイアルの下面リブの所定位置に形成したロック溝と、ロックアームの嵌合部が嵌合するように配置するとともに、ロックアームを、本体ケース内側から、本体ケース外側方向に付勢する付勢手段を設ける。
【０００７】
請求項２記載の発明では、回転操作される回転操作ダイアルと、この回転操作ダイアルを所定位置にロックするロックアームと、これら回転操作ダイアルおよびロックアームが装着される本体ケースとを備えたカメラにおいて、回転操作ダイアルの回転操作部と、ロックアームの釦操作部とを、本体ケースの相隣り合う面に近接して配設する。
【０００８】
請求項３記載の発明では、回転操作ダイアルの回転操作部を、本体ケースの上面側に、ロックアームの釦操作部を本体ケースの背面側に、近接して配設する。
【０００９】
請求項４記載の発明では、付勢手段を、板バネで形成する。
【００１０】
請求項５記載の発明では、本体ケースの内側のロックアームが貫通する貫通孔の両側に、Ｌ字状の保持部を形成し、この保持部により付勢手段を保持する。
【００１１】
請求項６記載の発明では、付勢手段を、コイルバネで形成する。
【００１２】
請求項７記載の発明では、ロックアームを、釦操作部と、その外周部に付勢手段を配設する溝部とを有し、本体ケースの外側から挿入される第１部材と、この第１部材と一体的に固着されるとともに、下面リブに形成したロック溝に嵌合する嵌合部を有する第２部材とから形成する。
【００１３】
請求項８記載の発明では、第１部材の下面に突起を、第２部材に突起が嵌合する孔を形成し、この孔に前記突起を勘合し、これら第１部材と第２部材とを一体的に固着する。
【発明の効果】
【００１４】
請求項１記載の発明の構成によれば、回転操作する回転操作部と、ロックを解除するロックアームの釦操作部とが、本体ケースの相隣り合う面に近接して配設されているので、回転操作ダイアルを操作する際、カメラ本体を保持した手の親指でロックアームの釦操作部を押し、付勢手段に抗してロックアームを本体ケース側に移動して、ロックアームの嵌合部と、回転操作部の下面リブのロック溝との嵌合を解き、ロックを解除した状態で、人差し指などにより、回転操作部を回転し、所望の設定にすることができる。また、両手を使う場合も、同様に一方の手でカメラ本体を保持しながらロックアームの釦操作部を押し、上述した場合と同様、ロックを解除した状態で、他方の手で回転操作部を回転し、所望の設定にすることができる。従って、例えば、モード設定などの操作がし易く、この種カメラの操作性の向上を図ることができる。しかも、その構成は、回転操作ダイアルの回転操作部と、ロックアームの釦操作部とを、本体ケースの相隣り合う面に近接して配設すれば良く、極めて簡単となる、などといった効果を奏する。
【００１５】
請求項２記載の発明の構成によれば、回転操作する回転操作部と、ロックを解除するロックアームの釦操作部とが、本体ケースの相隣り合う面に近接して配設されているので、回転操作ダイアルを操作する際、本体を保持した手の親指でロックアームの釦操作部を押し、ロックを解除した状態で、人差し指などにより、回転操作部を回転し、所望の設定をすることができる。また、両手を使う場合も、同様に一方の手で本体を保持しながらロックアームの釦操作部を押し、ロック解除した状態で、他方の手で回転操作部を回転し、所望の設定をすることができる。従って、例えば、モード設定などの操作がし易く、この種カメラの操作性の向上を図ることができる。しかも、その構成は、回転操作ダイアルの回転操作部と、ロックアームの釦操作部とを、本体ケースの相隣り合う面に近接して配設すれば良く、極めて簡単となる、などといった効果を奏する。
【００１６】
請求項３記載の発明の構成によれば、回転操作する回転操作部が、本体ケースの上面側に、ロックを解除するロックアームの釦操作部が、本体ケースの背面側に、近接して配設されているので、通常の撮影状態にカメラを保持し、その状態でロックを解除しながら、回転操作ダイアルを操作することができ、その操作性が優れている、などといった効果を奏する。
【００１７】
請求項４記載の発明の構成によれば、付勢手段を板バネで形成しているので、本体ケース内の内壁に沿うように配置でき、この種カメラの省スペース化を図ることができ、都合がよい。
【００１８】
請求項５記載の発明の構成によれば、付勢手段は、本体ケース内の内壁に形成したＬ字状の保持部により保持しているので、付勢手段を保持するために特別な部品は必要でなく、本体ケースを形成する際に一体に形成すればよく、例えば、本体ケースを合成樹脂で成型する場合には、金型を準備するのみでよく、都合がよい。
【００１９】
請求項６記載の発明の構成によれば、付勢手段をコイルバネで形成しているので、板バネに比して安価となり、経済的である。
【００２０】
請求項７記載の発明の構成によれば、外周部の溝部に付勢手段を配設した第１部材を、本体ケースの外側から挿入し、本体ケースの内側から第２部材を挿入し、これら第１部材と、第２部材とを一体的に固着すれば、本体ケースにロックアームを簡単に装着することができる。従って、その作業性の向上を図ることができ、都合がよい。
【００２１】
請求項８記載の発明の構成によれば、第１部材と、第２部材との固着に際し、第２部材に形成した孔に、第１部材の下面に設けた突起を嵌合すればよく、特別な工具など一切用いることなく、ロックアームを組立てることができ、都合がよい。
【発明を実施するための最良の形態】
【００２２】
回転操作される回転操作ダイアルと、この回転操作ダイアルを所定位置にロックするロックアームと、これら回転操作ダイアルおよびロックアームが装着される本体ケースとを備えたカメラにおいて、回転操作ダイアルの回転操作部を、前記本体ケースの上面側に、前記ロックアームの釦操作部を前記本体ケースの背面側に近接して配設し、本体ケース内に位置する回転操作ダイアルの下面リブの所定位置に形成したロック溝と、ロックアームの嵌合部が嵌合するように配置するとともに、ロックアームを、本体ケース内側から、本体ケース外側方向に付勢する付勢手段を設けて構成する。
【実施例１】
【００２３】
以下、本発明の一実施例を図１乃至図５に基づいて説明する。図１は、本発明の一実施例に係るロック機能を備えたカメラの概略構成を示す斜視図、図２は、図１に示す本発明の一実施例に係るカメラの要部の一部を断面して示す斜視図、図３および図４は、同じく図１に示す本発明の一実施例に係るカメラの要部の一部を断面して示す一部断面図で、図３は、ロック状態を示し、図４は、非ロック状態を示す。図５は、図１に示す本発明の一実施例に係るカメラの回転操作ダイアルを示す底面図である。
【００２４】
図１に示すカメラ１の本体ケース２の背面２１には、例えば液晶表示部３と、ファインダ窓４およびロックアーム５の釦操作部５１などが配置されている。本体ケース２の上面２２には、シャッター釦６と、例えばモード設定を行う際に回転操作される回転操作ダイアル７およびこの回転操作ダイアル７の上面に表示された標識を指示する指標部８などが配置されている。標識としては、設定可能なモードを示すスイッチオン、スイッチオフ「Ｌ」やプログラムモード「Ｐ」などが表示されている。従って、回転操作ダイアル７の回転操作部７１を回転操作し、指標部８に、所望の標識を合わせることにより、図示しないが、電気的接続がなされ、カメラ本体の制御部に伝達され、モード設定が行われる。また、正面には、図示しない撮影用レンズや、ストロボなどが配置されている。
【００２５】
而して、本発明に従い、回転操作される回転操作ダイアル７の回転操作部７１と、ロックアーム５の釦操作部５１とは、上述したように本体ケース２の相隣り合う面、すなわち図示例では、本体ケース２の上面２２に、回転操作ダイアル７の回転操作部７１を、本体ケース２の背面２１に、ロックアーム５の釦操作部５１を、それぞれ近接して配設している。回転操作ダイアル７の本体ケース２内に位置する下面リブ７２の所定位置、すなわちロックする位置には、ロック溝７３が形成されている。このロック溝７３は、図示する例では、1個であるが必要に応じて、複数個設けても良いのは勿論である。
【００２６】
ロックアーム５は、釦操作部５１と、胴部５２と、嵌合部５３とからなり、ロック状態では、嵌合部５３が下面リブ７２のロック溝７３に嵌合するように配置されている。また、ロックアーム５は、付勢手段９により常時本体ケース２の外側である矢印ａ方向（図３参照）に付勢されている。従って、ロック状態では、ロック溝７３に嵌合部５３が嵌合し、付勢手段９により、その状態が保持されている。
【００２７】
付勢手段９は、例えば、板バネを用い、この板バネからなる付勢手段９を、本体ケース２の内壁のロックアーム５の胴部５２が貫通する貫通孔２３の両側に形成したＬ字状の保持部２４間に架設して保持し、この付勢手段９により、ロックアーム５の胴部５２の段部５２ａを付勢するようにすれば良い。このように、付勢手段９として板バネを用いると、本体ケース２内の内壁に沿うように配置できるので、省スペース化を図ることができ、都合がよい。また、付勢手段９は、本体ケース２内の内壁に形成したＬ字状の保持部２４間に架設して保持すると、付勢手段９を保持するために特別な部品を必要としない。また、保持部２４は、本体ケース２を形成する際に一体に形成すればよく、例えば、本体ケース２を合成樹脂で成型する場合には、金型を準備するのみでよいので、都合がよい。
【００２８】
以上のように構成された本実施例１によるカメラのモード設定について説明する。カメラ１が、スイッチオフ「Ｌ」（図３参照）の状態から、撮影するために例えば、プログラムモード「Ｐ」（図４参照）の状態に切り替える場合、カメラ１本体を保持した手の親指でロックアーム５の釦操作部５１を、図４において矢印ｂ側に押し、付勢手段９に抗してロックアーム５を本体ケース２側に移動して（押して）、ロックアーム５の嵌合部５３と、回転操作ダイアル７の下面リブ７２のロック溝７３との嵌合を解き、このロックを解除した状態（図４参照）で、人差し指などにより、回転操作部７１を回転し、プログラムモード「Ｐ」の標識を、指標部８に合わせて所望の設定にする。その後、釦操作部５１の押圧を開放すると、付勢手段９によりロックアーム５は、図４において矢印ｂ側と反対側に付勢され、回転操作部７１の下面リブ７２が、嵌合部５３によりその状態が保持される。この場合、下面リブ７２の内側の所定位置に、嵌合部５３が係合する凹部（図示せず）を形成しておくと、位置決めが確実となり、好ましい。
【００２９】
また、両手を使う場合も、同様に一方の手でカメラ１本体を保持しながらロックアーム５の釦操作部５１を、図４において矢印ｂ側に押し、上述した場合と同様、ロックを解除した状態で、他方の手で回転操作部７１を回転し、プログラムモード「Ｐ」の標識を、指標部８に合わせて所望の設定とすれば良い。なお、釦操作部５１の押圧を開放するタイミングは、ロック溝７３と、嵌合部５３との対応位置関係が解かれた時点以降にすれば良い。
【００３０】
以上の構成による実施例では、ロック機能を損なうことなく、同時操作を必要とする、回転操作する回転操作部７１と、ロックを解除するロックアームの釦操作部５１とが、本体ケース２の相隣り合う面に近接して配設されているので、例えば、モード設定などの操作がし易く、この種カメラの操作性の向上を図ることができる。また、その構成がきわめて簡単である、などといった効果を奏する。
【実施例２】
【００３１】
次に、図６および図７に示す本発明の他の実施例について説明する。図６は、本発明の他の実施例に係るカメラの要部の一部を断面して示す斜視図、図７は、図６に示す本発明の他の実施例に係るカメラの要部の一部を断面して示す一部断面図である。なお、図６および図７において、図１乃至図５と同じ符号を付した部分は、略同一のものを示す。以下相違点を中心に説明する。
【００３２】
この実施例では、付勢手段９として、コイルバネを用いるとともに、ロックアーム５を、第１部材５４と、第２部材５５とにより形成する。第１部材５４は、釦操作部５１と、胴部５２の外周部に付勢手段９であるコイルバネを配設する溝部５６とを有し、本体ケース２の外側から挿入される。第２部材５５は、回転操作部７１の下面リブ７２に形成したロック溝７３に嵌合する嵌合部５３を有し、本体ケース２の内側に位置し、第１部材５４と一体的に固着される。この固着は、例えば、第１部材５４に突起５７を形成するとともに、第２部材５５に突起５７が嵌合する孔５８を形成し、この孔５８に突起５７を勘合すれば良い。なお、第１部材５４と、第２部材５５との固着手段は、上述した孔５８に突起５８を勘合する方法に限らず、例えば、螺合や、接着などによる固着手段を採用しても良いのは、勿論である。
【００３３】
以上の構成による実施例にあっては、上述した実施例と同様、ロック機能を損なうことなく、同時操作を必要とする、回転操作する回転操作部７１と、ロックを解除するロックアームの釦操作部５１とが、本体ケース２の相隣り合う面に近接して配設されているので、例えば、モード設定などの操作がし易く、この種カメラの操作性の向上を図ることができる、などといった効果を奏する。
【００３４】
また、付勢手段９をコイルバネで形成しているので、板バネに比して安価となり、経済的である。
【００３５】
また、外周部の溝部５６に付勢手段９を配設した第１部材５４を、本体ケース２の外側から挿入し、本体ケース２の内側から第２部材５５を挿入し、これら第１部材５４と、第２部材５５とを一体的に固着すれば、本体ケース２にロックアーム５を簡単に装着することができる。従って、その作業性の向上を図ることができ、都合がよい。
【００３６】
更に、第１部材５４と、第２部材５５との固着に際し、第２部材５５に形成した孔５８に、第１部材５４の下面に設けた突起５６を嵌合すればよく、特別な工具など一切用いることなく、ロックアーム５を組立てることができ、都合がよい。
【００３７】
なお、上述した実施例は、本発明の好適な実施例であるが、本発明はこれに限定されるものではなく、本発明の要旨を逸脱しない範囲において、種々変形実施可能である。
【図面の簡単な説明】
【００３８】
【図１】本発明の一実施例に係るロック機能を備えたカメラの概略構成を示す斜視図である。
【図２】図１に示す本発明の一実施例に係るカメラの要部の一部を断面して示す斜視図である。
【図３】同じく図１に示す本発明の一実施例に係るカメラの要部の一部を断面し、ロック状態を示す一部断面図である。
【図４】同じく図１に示す本発明の一実施例に係るカメラの要部の一部を断面し、非ロック状態を示す一部断面図である。
【図５】図１に示す本発明の一実施例に係るカメラの回転操作ダイアルを示す底面図である。
【図６】本発明の他の実施例に係るカメラの要部の一部を断面して示す斜視図である。
【図７】図６に示す本発明の他の実施例に係るカメラの要部の一部を断面して示す一部断面図である。
【符号の説明】
【００３９】
１      カメラ
２      本体ケース
２１    背面
２２    上面
２３    貫通孔
２４    保持部
５      ロックアーム
５１    釦操作部
５３    嵌合部
５４    第１部材
５５    第２部材
５６    溝部
５７    突起
５８    孔
７      回転操作ダイアル
７１    回転操作部
７２    下面リブ
７３    ロック溝
９      付勢手段
【図１】
2005345657.tif 000003
【図２】
2005345657.tif 000004
【図３】
2005345657.tif 000005
【図４】
2005345657.tif 000006
【図５】
2005345657.tif 000007
【図６】
2005345657.tif 000008
【図７】
2005345657.tif 000009